(57)【特許請求の範囲】
【請求項１】
物体から像側へ順に、負の屈折力の第１レンズ群、開口絞り、正の屈折力の第２レンズ群を備え、ズーミングに際して、前記第１レンズ群と前記第２レンズ群が移動し、隣り合うレンズ群の間隔が変化するズームレンズであって、
前記第２レンズ群は、負レンズと正レンズと負レンズで構成される接合レンズを含む、１枚以上の正レンズ及び２枚以上の負レンズを備え、
材料の波長４００ｎｍに対する屈折率をＮｓ、前記材料の波長１０５０ｎｍに対する屈折率をＮｍ、前記材料の波長１７００ｎｍに対する屈折率をＮｌ、前記材料の部分分散比θを
θ＝（Ｎｓ−Ｎｍ）／（Ｎｓ−Ｎｌ）
とし、
前記第２レンズ群に含まれる正レンズの材料の部分分散比θの平均値をθＩＲ（Ｇ２ｐ）ＡＶＥ、前記第２レンズ群に含まれる負レンズの材料の部分分散比θの平均値をθＩＲ（Ｇ２ｎ）ＡＶＥとするとき、
−０．０２０＜θＩＲ（Ｇ２ｐ）ＡＶＥ−θＩＲ（Ｇ２ｎ）ＡＶＥ＜０．０１５
なる条件式を満足することを特徴とするズームレンズ。
【請求項２】
前記材料のアッベ数νをν＝（Ｎｍ−１）／（Ｎｓ−Ｎｌ）とし、前記第２レンズ群に含まれる正レンズの材料のアッベ数νの平均値をνＩＲ（Ｇ２ｐ）ＡＶＥとするとき、
νＩＲ（Ｇ２ｐ）ＡＶＥ＞１８．０
なる条件式を満足することを特徴とする請求項１に記載のズームレンズ。
【請求項３】
前記第２レンズ群の最も物体側に正レンズＬ２１が配置され、前記正レンズＬ２１の少なくとも一面が非球面形状であることを特徴とする請求項１又は２に記載のズームレンズ。
【請求項４】
前記材料のアッベ数νをν＝（Ｎｍ−１）／（Ｎｓ−Ｎｌ）とし、前記第１レンズ群に含まれる負レンズの材料のアッベ数νをνＩＲ（Ｇ１ｎ）とするとき、前記第１レンズ群は、
νＩＲ（Ｇ１ｎ）＞１８．０
なる条件式を満足する負レンズを有することを特徴とする請求項１乃至３のいずれか１項に記載のズームレンズ。
【請求項５】
前記第１レンズ群の焦点距離をＦ１、前記第２レンズ群の焦点距離をＦ２とするとき、
０．７＜｜Ｆ１／Ｆ２｜＜１．０
なる条件式を満足することを特徴とする請求項１乃至４のいずれか１項に記載のズームレンズ。
【請求項６】
前記第２レンズ群に含まれる負レンズの材料の部分分散比θをθＩＲ（Ｇ２ｎ）ＡＬＬとするとき、前記第２レンズ群に含まれる全ての負レンズは、
θＩＲ（Ｇ２ｎ）ＡＬＬ＜０．８４５
なる条件式を満足することを特徴とする請求項１乃至５のいずれか１項に記載のズームレンズ。
【請求項７】
前記材料のアッベ数νをν＝（Ｎｍ−１）／（Ｎｓ−Ｎｌ）とし、前記第２レンズ群に含まれる負レンズの材料のアッベ数νをνＩＲ（Ｇ２ｎ）、部分分散比θをθＩＲ（Ｇ２ｎ）とするとき、前記第２レンズ群は、
νＩＲ（Ｇ２ｎ）＞１２．０
θＩＲ（Ｇ２ｎ）＜０．８１
なる条件式を満足する負レンズを有することを特徴とする請求項１乃至６のいずれか１項に記載のズームレンズ。
【請求項８】
請求項１乃至７のいずれか１項に記載のズームレンズと、該ズームレンズによって形成される像を受光する撮像素子を有することを特徴とする撮像装置。
【発明の詳細な説明】
【技術分野】
【０００１】
本発明はズームレンズに関し、特に、監視カメラ、デジタルカメラ、ビデオカメラ、放送用カメラ等の撮像装置に用いる撮像光学系として好適なものである。
【背景技術】
【０００２】
近年、撮像装置に用いられる撮像光学系は、広画角で全系が小型のズームレンズであることが要望されている。例えば、監視カメラ用の撮像光学系は広画角で全系が小型であること、また昼夜の撮影において良好な光学性能が得られるズームレンズであることが要望されている。
【０００３】
一般的に監視カメラは、昼間の撮影には可視光を使用し、夜間の撮影には近赤外光を使用している。近赤外光を使用すると、例えば視界の良くない濃霧時においては可視光よりも散乱の影響が少ない状態で撮影することができるという特徴がある。そのため、監視カメラに使用されるズームレンズには、可視域から近赤外域までの広い波長域で収差補正されていることが要望されている。
【０００４】
従来、監視カメラ用のズームレンズとして、物体から像側へ順に、負の屈折力の第１レンズ群、開口絞り、正の屈折力の第２レンズ群よりなる２群ズームレンズが知られている（特許文献１乃至３）。特許文献１乃至３では、第１レンズ群と第２レンズ群の光軸方向の間隔を変化させることで変倍を行い、変倍に伴う像面変動を補正し第１レンズ群を移動させて行っている。
【先行技術文献】
【特許文献】
【０００５】
【特許文献１】特開２０１１−１０４１２８号公報
【特許文献２】特開２０１１−１７５１７４号公報
【特許文献３】特開２００９−２３０１２２号公報
【発明の概要】
【発明が解決しようとする課題】
【０００６】
監視カメラ用のズームレンズにおいて、夜間の撮影には多くの場合、近赤外光が利用される。しかしながら、新月近くの月明かりが非常に少ない場合や、月が雲に隠れている場合等、近赤外光において十分な光量を得られないことがある。一方で、太陽光によって大気中の水酸化イオンが励起された後、ナイトグローと呼ばれる光（ピーク波長１．６μｍ）が放出される。この光を利用すると、月明かりがない場合でも良好な撮影が容易となる。
【０００７】
監視カメラ用のズームレンズにおいて、可視領域から近赤外領域に至る広い波長範囲にわたり良好なる光学性能を得るには、ズームタイプ、各レンズ群のレンズ構成を適切に設定することが重要になってくる。例えば、物体側より像側へ順に、負の屈折力の第１レンズ群、正の屈折力の第２レンズ群を有する２群以上のレンズ群よりなるズームレンズでは、第２レンズ群を適切に設定することが広い波長域にわたり色収差を良好に補正するのに重要になってくる。
【０００８】
特許文献１乃至３に開示されているズームレンズでは、可視領域から波長約１μｍまでの色収差は補正されているものの、波長１．６μｍ程度の近赤外域まで収差補正が必ずしも十分ではない。
【０００９】
本発明は、可視域から近赤外域までの広い波長域の光に対して、良好な結像性能を備えた大口径比で小型のズームレンズの提供を目的とする。
【課題を解決するための手段】
【００１０】
本発明のズームレンズは、物体から像側へ順に、負の屈折力の第１レンズ群、開口絞り、正の屈折力の第２レンズ群を備え、ズーミングに際して、前記第１レンズ群と前記第２レンズ群が移動し、隣り合うレンズ群の間隔が変化するズームレンズであって、
前記第２レンズ群は、負レンズと正レンズと負レンズで構成される接合レンズを含む、１枚以上の正レンズ及び２枚以上の負レンズを備え、
材料の波長４００ｎｍに対する屈折率をＮｓ、前記材料の波長１０５０ｎｍに対する屈折率をＮｍ、前記材料の波長１７００ｎｍに対する屈折率をＮｌ、前記材料の部分分散比θを
θ＝（Ｎｓ−Ｎｍ）／（Ｎｓ−Ｎｌ）
とし、
前記第２レンズ群に含まれる正レンズの材料の部分分散比θの平均値をθＩＲ（Ｇ２ｐ）ＡＶＥ、前記第２レンズ群に含まれる負レンズの材料の部分分散比θの平均値をθＩＲ（Ｇ２ｎ）ＡＶＥとするとき、
−０．０２０＜θＩＲ（Ｇ２ｐ）ＡＶＥ−θＩＲ（Ｇ２ｎ）ＡＶＥ＜０．０１５
なる条件式を満足することを特徴としている。
【発明の効果】
【００１１】
本発明によれば、可視域から近赤外光全域にわたって諸収差を良好に補正した高い光学性能を有する大口径比で小型のズームレンズが得られる。
【図面の簡単な説明】
【００１２】
【図１】実施例１のズームレンズの広角端におけるレンズ断面図
【図２】（Ａ）、（Ｂ）  実施例１のズームレンズの広角端、望遠端における諸収差図
【図３】実施例２のズームレンズの広角端におけるレンズ断面図
【図４】（Ａ）、（Ｂ）  実施例２のズームレンズの広角端、望遠端における諸収差図
【図５】参考例１のズームレンズの広角端におけるレンズ断面図
【図６】（Ａ）、（Ｂ）  参考例１のズームレンズの広角端、望遠端における諸収差図
【図７】参考例２のズームレンズの広角端におけるレンズ断面図
【図８】（Ａ）、（Ｂ）  参考例２のズームレンズの広角端、望遠端における諸収差図
【図９】参考例３のズームレンズの広角端におけるレンズ断面図
【図１０】（Ａ）、（Ｂ）  参考例３のズームレンズの広角端、望遠端における諸収差図
【図１１】参考例４のズームレンズの広角端におけるレンズ断面図
【図１２】（Ａ）、（Ｂ）  参考例４のズームレンズの広角端、望遠端における諸収差図
【図１３】参考例５のズームレンズの広角端におけるレンズ断面図
【図１４】（Ａ）、（Ｂ）  参考例５のズームレンズの広角端、望遠端における諸収差図
【図１５】参考例６のズームレンズの広角端におけるレンズ断面図
【図１６】（Ａ）、（Ｂ）  参考例６のズームレンズの広角端、望遠端における諸収差図
【図１７】参考例７のズームレンズの広角端におけるレンズ断面図
【図１８】（Ａ）、（Ｂ）  参考例７のズームレンズの広角端、望遠端における諸収差図
【図１９】本発明の撮像装置の要部概略図
【発明を実施するための形態】
【００１３】
以下、本発明のズームレンズの実施形態について説明する。本発明のズームレンズは、物体から像側へ順に、負の屈折力の第１レンズ群、開口絞り、正の屈折力の第２レンズ群とを備えている。そしてズーミングに際して第１レンズ群と第２レンズ群の光軸方向の間隔が変化するように第１レンズ群と第２レンズ群が移動する。尚、第２レンズ群の像側にズーミングに際して不動の正の屈折力の第３レンズ群が配置されていても良い。
【００１４】
図１は、本発明の形態に係る実施例１のズームレンズの広角端におけるレンズ断面図である。図２（Ａ）、（Ｂ）はそれぞれ、実施例１のズームレンズの広角端及び望遠端における収差図である。光学倍率は３．４４であり、実施例１のズームレンズでは、少なくとも４００〜１７００ｎｍの波長域の光に対して収差が十分に補正されている。
【００１５】
図３は、本発明の形態に係る実施例２のズームレンズの広角端におけるレンズ断面図である。図４（Ａ）、（Ｂ）はそれぞれ、実施例２のズームレンズの広角端及び望遠端における収差図である。光学倍率は２．５８であり、少なくとも４００〜１７００ｎｍの波長域の光に対して収差が十分に補正されている。
【００１６】
図５は、本発明の形態に係る参考例１のズームレンズの広角端におけるレンズ断面図である。図６（Ａ）、（Ｂ）はそれぞれ、参考例１のズームレンズの広角端及び望遠端における収差図である。光学倍率は２．５８であり、少なくとも４００〜１７００ｎｍの波長域の光に対して収差が十分に補正されている。
【００１７】
図７は、本発明の形態に係る参考例２のズームレンズの広角端におけるレンズ断面図である。図８（Ａ）、（Ｂ）はそれぞれ、参考例２のズームレンズの広角端及び望遠端における収差図である。光学倍率は２．５８であり、少なくとも４００〜１７００ｎｍの波長域の光に対して収差が十分に補正されている。
【００１８】
図９は、本発明の形態に係る参考例３のズームレンズの広角端におけるレンズ断面図である。図１０（Ａ）、（Ｂ）はそれぞれ、参考例３のズームレンズの広角端及び望遠端における収差図である。光学倍率は３．４５であり、少なくとも４００〜１７００ｎｍの波長域の光に対して収差が十分に補正されている。
【００１９】
図１１は、本発明の形態に係る参考例４のズームレンズの広角端におけるレンズ断面図である。図１２（Ａ）、（Ｂ）はそれぞれ、参考例４のズームレンズの広角端及び望遠端における収差図である。光学倍率は２．５８であり、少なくとも４００〜１７００ｎｍの波長域の光に対して収差が十分に補正されている。
【００２０】
図１３は、本発明の形態に係る参考例５のズームレンズの広角端におけるレンズ断面図である。図１４（Ａ）、（Ｂ）はそれぞれ、参考例５のズームレンズの広角端及び望遠端における収差図である。光学倍率は２．５８であり、少なくとも４００〜１７００ｎｍの波長域の光に対して収差が十分に補正されている。
【００２１】
図１５は、本発明の形態に係る参考例６のズームレンズの広角端におけるレンズ断面図である。図１６（Ａ）、（Ｂ）はそれぞれ、参考例６のズームレンズの広角端及び望遠端における収差図である。光学倍率は２．５８であり、少なくとも４００〜１７００ｎｍの波長域の光に対して収差が十分に補正されている。
【００２２】
図１７は、本発明の形態に係る参考例７のズームレンズの広角端におけるレンズ断面図である。図１８（Ａ）、（Ｂ）はそれぞれ、参考例７のズームレンズの広角端及び望遠端における収差図である。光学倍率は３．４５であり、少なくとも４００〜１７００ｎｍの波長域の光に対して収差が十分に補正されている。図１９は本発明の撮像装置の要部概略図である。
【００２３】
各実施例のズームレンズは撮像装置に用いられる。各レンズ断面図において、左方が被写体側（物体側）、右方が像側である。Ｌ０はズームレンズである。Ｇ１は負の屈折力の第１レンズ群、Ｇ２は正の屈折力の第２レンズ群、Ｇ３は正の屈折力の第３レンズ群である。ＳＴＯＰは解放Ｆナンバー（Ｆｎｏ）光束を決定（制限）する開口絞りの作用をするＦナンバー決定部材（以下「開口絞り」ともいう。）である。
【００２４】
ＣＧは光学フィルター等に相当する光学ブロックである。ＩＭＧは像面であり、ＣＣＤセンサやＣＭＯＳセンサ等の固体撮像素子（光電変換素子）が配置される。矢印は広角端から望遠端へのズーミングに際しての各レンズ群の移動軌跡を示している。
【００２５】
各実施例及び各参考例において、フォーカシングは第１レンズ群Ｇ１で行っている。球面収差図においては、波長１７００ｎｍ、波長１０５０ｎｍ、波長５８７ｎｍ（ｄ線）、波長４３５ｎｍ（ｇ線）に関する収差を示している。非点収差図においては、ｍはｄ線のメリディオナル像面、Ｓはｄ線のサジタル像面を表している。歪曲収差はｄ線について示している。ＦｎｏはＦナンバー、Ｙは像高である。
【００２６】
尚、以下の各実施例及び各参考例において広角端と望遠端は変倍用レンズ群が機構上で光軸上移動可能な範囲の両端に位置した時のズーム位置をいう。以下、断りがない限りレンズ構成は物体側から像側へ順に配置されているものとして説明する。本発明のズームレンズは、物体から像側へ順に、負の屈折力の第１レンズ群Ｇ１と、開口絞りＳＴＯＰと、正の屈折力の第２レンズ群Ｇ２とを備えている。
【００２７】
ズーミングに際して第１レンズ群Ｇ１と第２レンズ群Ｇ２との間隔が変化する。第２レンズ群Ｇ２の移動で変倍を行い、変倍に伴う像面変動を第１レンズ群Ｇ１によって補正している。第２レンズ群Ｇ２は１枚以上の正レンズと、１枚以上の負レンズを備えている。材料の波長４００ｎｍに対する屈折率をＮｓ、材料の波長１０５０ｎｍに対する屈折率をＮｍ、材料の波長１７００ｎｍに対する屈折率をＮｌ、材料の部分分散比θを
θ＝（Ｎｓ−Ｎｍ）／（Ｎｓ−Ｎｌ）
とする。
【００２８】
第２レンズ群Ｇ２に含まれる正レンズの材料の部分分散比の平均値をθＩＲ（Ｇ２ｐ）ＡＶＥ、第２レンズ群Ｇ２に含まれる負レンズの材料の部分分散比の平均値をθＩＲ（Ｇ２ｎ）ＡＶＥとする。このとき、
−０．０２０＜θＩＲ（Ｇ２ｐ）ＡＶＥ−θＩＲ（Ｇ２ｎ）ＡＶＥ＜０．０１５・・（１）
なる条件式を満足する。
【００２９】
条件式（１）は可視域から近赤外域の広い波長域に渡って望遠端における軸上色収差と広角端における倍率色収差を良好に補正するためのものである。条件式（１）は、第２レンズ群Ｇ２に含まれる正レンズと負レンズで波長４００ｎｍと波長１７００ｎｍにおける軸上色収差と倍率色収差を補正し、その際に発生する波長１０５０ｎｍにおける軸上色収差量と倍率色収差量を推定するため指標である。
【００３０】
つまり、２次スペクトルを推定するためのものである。正レンズと負レンズの組合せでは、この指標が小さいほど２次スペクトル量は小さくなる。そのため、条件式（１）の範囲を満たすことで２次スペクトル量を低減することができ、可視域から近赤外域の広い波長域に渡って色収差を良好に補正することができる。
【００３１】
条件式（１）の下限を下回ると、或いは上限を上回ると、第２レンズ群Ｇ２より望遠端において軸上色収差と広角端において倍率色収差の２次スペクトルが多く発生し、結像性能が低下してくる。条件式（１）は更に好ましくは次の数値範囲とするのが良い。
−０．０１９＜θＩＲ（Ｇ２ｐ）ＡＶＥ−θＩＲ（Ｇ２ｎ）ＡＶＥ＜０．０１４
・・・（１ａ）
【００３２】
各実施例及び各参考例において更に好ましくは次の条件式のうち１つ以上を満足するのが良い。
材料のアッベ数νを、
ν＝（Ｎｍ−１）／（Ｎｓ−Ｎｌ）
と定義し、第２レンズ群Ｇ２に含まれる正レンズの材料のアッベ数の平均値をνＩＲ（Ｇ２ｐ）ＡＶＥとする。
【００３３】
第１レンズ群Ｇ１に含まれる１枚の負レンズの材料のアッベ数をνＩＲ（Ｇ１ｎ）とする。第１レンズ群Ｇ１の焦点距離をＦ１、第２レンズ群Ｇ２の焦点距離をＦ２とする。第２レンズ群Ｇ２に含まれる全ての負レンズは、材料の部分分散比をθＩＲ（Ｇ２ｎ）ＡＬＬとする。第２レンズ群Ｇ２に含まれる負レンズのうち少なくとも一つの負レンズは材料のアッベ数をνＩＲ（Ｇ２ｎ）、部分分散比をθＩＲ（Ｇ２ｎ）とする。
【００３４】
このとき次の条件式のうち１つ以上を満足するのが良い。
νＩＲ（Ｇ２ｐ）ＡＶＥ＞１８．０      ・・・（２）
νＩＲ（Ｇ１ｎ）＞１８．０          ・・・（３）
０．７＜｜Ｆ１／Ｆ２｜＜１．０      ・・・（４）
θＩＲ（Ｇ２ｎ）ＡＬＬ＜０．８４５    ・・・（５）
νＩＲ（Ｇ２ｎ）＞１２．０          ・・・（６）
θＩＲ（Ｇ２ｎ）＜０．８１          ・・・（７）
【００３５】
次に前述の各条件式の技術的意味について説明する。条件式（２）は第２レンズ群Ｇ２に含まれる正レンズの材料のアッベ数の平均値に関する。条件式（２）の下限を下回ると、第２レンズ群Ｇ２に含まれる正レンズ及び負レンズの屈折力が増大するため、高次収差が多く発生する。また、第２レンズ群Ｇ２より軸上色収差と倍率色収差が多く発生し、これらの補正が困難となる。
【００３６】
条件式（３）は第１レンズ群Ｇ１に含まれる１枚の負レンズの材料のアッベ数に関する。条件式（３）の下限を下回ると、第１レンズ群Ｇ１に含まれる正レンズ及び負レンズの屈折力が増大するため、高次収差が多く発生する。また、第１レンズ群Ｇ１より軸上色収差が多く発生し、これらの諸収差の補正が困難となる。
【００３７】
条件式（４）は第１レンズ群Ｇ１のｄ線に対する焦点距離をＦ１と、第２レンズ群Ｇ２のｄ線に対する焦点距離Ｆ２の比に関する。条件式（４）の下限を下回り、第１レンズ群Ｇ１の焦点距離が短くなりすぎると、レンズ全長が長くなり全系の小型化が困難になる。また条件式（４）の上限を上回り、第２レンズ群Ｇ２の焦点距離が長くなりすぎると、望遠化が困難になる。
【００３８】
条件式（５）は、第２レンズ群Ｇ２に含まれる全ての負レンズの材料に関する。条件式（５）の上限値を上回ると、第２レンズ群Ｇ２に含まれる負レンズより軸上色収差と倍率色収差の２次スペクトルが多く発生している。この２次スペクトルを第２レンズ群Ｇ２に含まれる正レンズによって補正することが困難となり、結像性能が低下してくる。
【００３９】
条件式（６）、（７）は第２レンズ群Ｇ２に含まれる負レンズのうち少なくとも１枚の負レンズの材料に関する。
【００４０】
条件式（６）の下限値を下回りかつ条件式（７）の上限値を上回ると、第２レンズ群Ｇ２に含まれる負レンズより軸上色収差と倍率色収差の２次スペクトルの発生が多くなる。このとき２次スペクトルを第２レンズ群Ｇ２に含まれる負レンズによって補正することが困難となり、結像性能が低下する。更に好ましくは条件式（２）乃至（７）の数値範囲を次の如く設定するのが良い。
【００４１】
νＩＲ（Ｇ２ｐ）ＡＶＥ＞１８．２      ・・・（２ａ）
νＩＲ（Ｇ１ｎ）＞２０．０          ・・・（３ａ）
０．７２＜｜Ｆ１／Ｆ２｜＜０．９８  ・・・（４ａ）
θＩＲ（Ｇ２ｎ）ＡＬＬ＜０．８４２    ・・・（５ａ）
νＩＲ（Ｇ２ｎ）＞１２．３          ・・・（６ａ）
θＩＲ（Ｇ２ｎ）＜０．８０５        ・・・（７ａ）
【００４２】
各実施例及び各参考例におけるズームレンズにおいては、次の構成をとるのが良い。第２レンズ群Ｇ２の最も物体側に正レンズＬ２１を有し、正レンズＬ２１の少なくとも一面は非球面形状とすると、球面収差の補正が容易になる。また第２レンズ群Ｇ２は、物体側から像側へ順に、正レンズと、負レンズ及び正レンズを接合した接合レンズを有すると、軸上色収差と球面収差の補正が容易になるので大口径化が容易となる。
【００４３】
また、第２レンズ群Ｇ２は、物体側から像側へ順に、正レンズ、負レンズ、正レンズ、負レンズ、正レンズを有すると、軸上色収差と倍率色収差の補正が容易になり、高い結像性能が得られる。また第２レンズ群Ｇ２は、負レンズと正レンズと負レンズより構成される接合した接合レンズを含む構成を有すると、この接合レンズで色収差や高次収差の補正が容易になる。
【００４４】
また第２レンズ群Ｇ２は、物体側から像側へ順に、正レンズ、正レンズ、負レンズを有すると、球面収差の補正が容易になるので大口径化が容易になる。また第２レンズ群Ｇ２は、物体側から像側へ順に、正レンズ、正レンズと負レンズを接合した接合レンズを有すると、軸上色収差と球面収差の補正が容易になるので、大口径化が容易になる。
【００４５】
本発明におけるズームレンズの一態様として、物体から像側へ順に、負の屈折力の第１レンズ群Ｇ１、開口絞りＳＴＯＰ、正の屈折力の第２レンズ群Ｇ２、正の屈折力の第３レンズ群Ｇ３とを備えていても良い。そして第１レンズ群Ｇ１と第２レンズ群Ｇ２の光軸方向の間隔を変化させることで変倍を行い、変倍に伴う像面変動を補正するために第１レンズ群Ｇ１を光軸方向に移動させる構成であってもよい。このような構成にすると、第３レンズ群Ｇ３によって軸外の諸収差を良好に補正する効果がある。
【００４６】
以上説明した構成をとれば、可視域から近赤外域の広い波長域に亘って収差を低減した、ズームレンズが得られる。以下、各実施例及び各参考例のズームレンズのレンズ構成について説明する。レンズ構成は以下、全て物体側から像側に順に配置されているものとして説明する。
【００４７】
［実施例１］
実施例１のズームレンズについて説明する。実施例１のズームレンズは、負の屈折力の第１レンズ群Ｇ１、所定の口径を決める開口絞りＳＴＯＰ、正の屈折力の第２レンズ群Ｇ２より構成される。第２レンズ群Ｇ２と像面ＩＭＧとの間には光学ブロックＣＧが配置される。この光学ブロックＣＧに関しては、必要のない場合は省略できる。
【００４８】
第１レンズ群Ｇ１は、負の屈折力のレンズ（以下「負レンズ」という。）Ｌ１１、負レンズＬ１２と、負レンズＬ１３と、正の屈折力のレンズ（以下「正レンズ」という。）Ｌ１４の４枚のレンズより構成されている。負レンズＬ１３と正レンズＬ１４は接合され接合レンズを構成している。
【００４９】
第２レンズ群Ｇ２は、正レンズＬ２１、負レンズＬ２２、正レンズＬ２３、負レンズＬ２４、正レンズＬ２５、負レンズＬ２６の６枚のレンズより構成される。負レンズＬ２２と正レンズＬ２３は接合されて接合レンズを構成している。負レンズＬ２４と正レンズＬ２５と負レンズＬ２６は接合されて接合レンズを構成している。正レンズＬ２１の両面及び、負レンズＬ２６の像面側の面は非球面形状である。
【００５０】
第１レンズ群Ｇ１及び第２レンズ群Ｇ２が光軸方向に互いに異なった軌跡で移動することで、光学倍率を変えている。即ちズーミングを行っている。具体的には、第１レンズ群Ｇ１と第２レンズ群Ｇ２の間隔を変えることで変倍が行われ、それに伴う像面の変動を第１レンズ群Ｇ１を移動させることで補正している。
【００５１】
［実施例２］
実施例２のズームレンズについて説明する。実施例２のズームレンズは、レンズ群の数、各レンズ群の屈折力の符号、ズーミングに際しての各レンズ群の移動軌跡、開口絞りＳＴＯの位置等に関しては実施例１と同じである。第１レンズ群Ｇ１のレンズ構成は実施例１と同じである。第２レンズ群Ｇ２のレンズ構成は実施例１と同じである。
【００５２】
［参考例１］
参考例１のズームレンズについて説明する。参考例１のズームレンズは、レンズ群の数、各レンズ群の屈折力の符号、ズーミングに際しての各レンズ群の移動軌跡、開口絞りＳＴＯの位置等に関しては実施例１と同じである。
【００５３】
第１レンズ群Ｇ１は、負レンズＬ１１、負レンズＬ１２、正レンズＬ１３の３枚のレンズより構成され、負レンズＬ１２と正レンズＬ１３は接合レンズを構成している。正レンズＬ１３の像側の面は非球面形状である。第２レンズ群Ｇ２は、正レンズＬ２１、正レンズＬ２２、負レンズＬ２３、正レンズＬ２４、負レンズＬ２５、正レンズＬ２６の６枚のレンズより構成される。正レンズＬ２２と負レンズＬ２３は接合され接合レンズを構成している。負レンズＬ２５と正レンズＬ２６はそれぞれ接合され接合レンズを構成している。正レンズＬ２１の両面及び、正レンズＬ２６の像側の面は非球面形状である。
【００５４】
［参考例２］
参考例２のズームレンズについて説明する。参考例２のズームレンズは、レンズ群の数、各レンズ群の屈折力の符号、ズーミングに際しての各レンズ群の移動軌跡、開口絞りＳＴＯの位置等に関しては実施例１と同じである。第１レンズ群Ｇ１のレンズ構成は実施例１と同じである。第２レンズ群Ｇ２は、正レンズＬ２１、負レンズＬ２２、正レンズＬ２３、負レンズＬ２４、正レンズＬ２５の５枚のレンズより構成される。負レンズＬ２４と正レンズＬ２５は接合され接合レンズを構成している。正レンズＬ２１の両面及び、正レンズＬ２５の像側の面は非球面形状である。
【００５５】
［参考例３］
参考例３のズームレンズについて説明する。参考例３のズームレンズは、レンズ群の数、各レンズ群の屈折力の符号、ズーミングに際しての各レンズ群の移動軌跡、開口絞りＳＴＯの位置等に関しては実施例１と同じである。
【００５６】
第１レンズ群Ｇ１のレンズ構成は実施例１と同じである。第２レンズ群Ｇ２は、正レンズＬ２１、負レンズＬ２２、正レンズＬ２３、負レンズＬ２４、正レンズＬ２５、正レンズＬ２６、負レンズＬ２７の７枚のレンズより構成される。負レンズＬ２２と正レンズＬ２３は接合され接合レンズを構成している。正レンズＬ２６と負レンズＬ２７は接合され接合レンズを構成している。正レンズＬ２１の両面及び、負レンズＬ２７の像側の面は非球面形状である。
【００５７】
［参考例４］
参考例４のズームレンズについて説明する。参考例４のズームレンズは、レンズ群の数、各レンズ群の屈折力の符号、ズーミングに際しての各レンズ群の移動軌跡、開口絞りＳＴＯの位置等に関しては実施例１と同じである。第１レンズ群Ｇ１のレンズ構成は実施例１と同じである。第２レンズ群Ｇ２は、正レンズＬ２１、負レンズＬ２２、正レンズＬ２３、負レンズＬ２４、正レンズＬ２５の５枚のレンズより構成される。負レンズＬ２２と正レンズＬ２３は接合され接合レンズを構成している。正レンズＬ２１の両面及び、負レンズＬ２５の像側の面は非球面形状である。
【００５８】
［参考例５］
参考例５のズームレンズについて説明する。参考例５のズームレンズは、レンズ群の数、各レンズ群の屈折力の符号、ズーミングに際しての各レンズ群の移動軌跡、開口絞りＳＴＯの位置等に関しては実施例１と同じである。
【００５９】
第１レンズ群Ｇ１は、負レンズＬ１１、負レンズＬ１２と、正レンズＬ１３の３枚のレンズより構成され、負レンズＬ１２と正レンズＬ１３は接合され接合レンズを構成している。正レンズＬ１３の像側の面は非球面形状である。第２レンズ群Ｇ２は、正レンズＬ２１、正レンズＬ２２、負レンズＬ２３、負レンズＬ２４、正レンズＬ２５、負レンズＬ２６、正レンズＬ２７の７枚のレンズより構成される。正レンズＬ２２と負レンズＬ２３は接合され接合レンズを構成している。負レンズＬ２６と正レンズＬ２７は接合され接合レンズを構成している。正レンズＬ２１の両面は非球面形状である。
【００６０】
［参考例６］
参考例６のズームレンズについて説明する。参考例６のズームレンズは、レンズ群の数、各レンズ群の屈折力の符号、ズーミングに際しての各レンズ群の移動軌跡、開口絞りＳＴＯの位置等に関しては実施例１と同じである。第１レンズ群Ｇ１のレンズ構成は実施例１と同じである。第２レンズ群Ｇ２は、正レンズＬ２１、正レンズＬ２２、負レンズＬ２３、正レンズＬ２４、負レンズＬ２５、正レンズＬ２６の６枚のレンズより構成される。負レンズＬ２５と正レンズＬ２６は接合され接合レンズを構成している。正レンズＬ２１の物体側の面及び、負レンズＬ２６の像側の面は非球面形状である。
【００６１】
［参考例７］
参考例７のズームレンズについて説明する。参考例７のズームレンズは、負の屈折力の第１レンズ群Ｇ１、所定の口径を決める開口絞りＳＴＯＰ、正の屈折力の第２レンズ群Ｇ２、正の屈折力の第３レンズ群Ｇ３より構成される。第３レンズ群Ｇ３と像面ＩＭＧの間には光学ブロックＣＧが配置される。この光学ブロックＣＧに関しては、必要のない場合は省略できる。
【００６２】
第１レンズ群Ｇ１のレンズ構成は実施例１と同じである。第２レンズ群Ｇ２のレンズ構成は実施例１と同じである。第３レンズ群Ｇ３は、負レンズＬ３１、正レンズＬ３２の２枚のレンズより構成され、負レンズＬ３１と正レンズＬ３２は接合され接合レンズを構成している。第１レンズ群Ｇ１及び第２レンズ群Ｇ２が光軸方向に移動することで、光学倍率を変えている。具体的には、第１レンズ群Ｇ１と第２レンズ群Ｇ２の間隔を変えることで変倍が行われ、それに伴う像面の変動を第１レンズ群Ｇ１を移動させることで補正している。
【００６３】
次に本発明のズームレンズを撮影光学系として用いた監視カメラ（撮像装置）の実施例を、図１９を用いて説明する。図１９において、３０は監視カメラ本体、３１は実施例１、２で説明したいずれかのズームレンズによって構成された撮像光学系である。３２はカメラ本体に内蔵され、撮像光学系３１によって形成された被写体像を受光するＣＣＤセンサやＣＭＯＳセンサ等の固体撮像素子（光電変換素子）である。
【００６４】
３３は固体撮像素子３２によって光電変換された被写体像に対応する情報を記録するメモリである。３４は撮影し、固体撮像素子３２によって光電変換された被写体像を転送するためのネットワークケーブルである。
【００６５】
以下に、実施例１、２、参考例１乃至７にそれぞれ対応する数値データ１乃至９を示す。各数値データにおいて、ｉは物体側からの面の順番を示し、ｒｉは第ｉ番目（第ｉ面）の面の曲率半径（単位：ｍｍ）、ｄｉは第ｉ面と第（ｉ＋１）面との間の間隔（単位：ｍｍ）である。ｎｄｉ、νｄｉはそれぞれｄ線（波長５８７．６ｎｍ）を基準とした第ｉ番目の光学部材の材料の屈折率、アッベ数を示す。
【００６６】
ｄ線基準のアッベ数νｄは、波長４８６ｎｍでの材料の屈折率をＮＦ、波長５８７．６ｎｍでの材料の屈折率をＮｄ、波長６５６ｎｍでの材料の屈折率をＮｃとするとき、
νｄ＝（Ｎｄ−１）／（ＮＦ−Ｎｃ）
である。また最も像側の２つの面は光学ブロックに相当する平面である。焦点距離は波長５８７．６ｎｍにおける値である。
【００６７】
非球面の形状は、以下の式に示す一般的な非球面の式で表される。以下の式において、ｚは光軸方向の座標、ｃは曲率（曲率半径ｒの逆数）、ｈは光軸からの高さ、ｋは円錐係数、Ａ、Ｂ、Ｃ、Ｄ、Ｅは各々、４次、６次、８次、１０次、１２次の非球面係数である。
【００６８】
【数１】
0006614790.tif 000002
【００６９】
＊は非球面形状を有する面を意味している。また、前述の各条件式と各実施例及び各参考例における諸数値との関係を表１に示す。表１において×は「満たしていない」ことを意味している。
【００７０】
（数値データ１）
面データ
面番号     r         d          nd         νd
1     21.637      0.85      1.83481      42.73 
2      7.455      5.11           
3    -69.055      0.80      1.43875      94.95 
4     11.891      3.09           
5    -15.802      0.80      1.43875      94.95 
6     11.370      3.50      1.61340      44.27 
7    -29.824      d7          
8(絞り)∞         d8          
9*     9.334      3.50      1.59522      67.74 
10*   -25.868      0.40           
11    -39.659      0.50      1.48749      70.24 
12      9.060      3.50      1.59522      67.74 
13    -20.728      0.15           
14     46.948      0.80      1.83400      37.16 
15      4.781      5.50      1.59522      67.74 
16     -5.898      0.80      1.61340      44.27 
17*   -58.843      d17          
18     ∞          2.78      1.51633      64.14 
19     ∞          3.40           
20     ∞          0.50           
21     ∞               
【００７１】
非球面データ
面番号
9   K=0  A=-1.04562E-04  B=-1.53475E-06  C= 1.43442E-08  D=0  E=0
10   K=0  A= 2.02866E-04  B=-1.47730E-06  C= 3.16029E-08  D=0  E=0
17   K=0  A= 8.47403E-06  B=8.14422E-06   C=-4.39089E-07  D=0  E=0
各種データ
広角端     中間     望遠端
焦点距離     2.85      5.29      9.81 
Fno          1.26      1.59      2.44 
像高         3.0       3.0       3.0 
d7          19.32      7.34      0.50 
d8           9.20      3.27      0.50 
d17          0.50      3.49      9.15 
【００７２】
（数値データ２）
面データ
面番号     r         d          nd         νd
1      31.532      0.85      1.83481      42.73 
2      12.055      3.35           
3     -48.601      0.80      1.43875      94.95 
4       6.833      4.00           
5     -11.601      0.80      1.43875      94.95 
6      10.766      5.39      1.61340      44.27 
7     -32.531      d7          
8(絞り) ∞         d8          
9*      8.812      4.20      1.49700      81.55 
10*   -24.508      0.20           
11     21.694      0.80      1.78800      47.37 
12      7.038      4.50      1.59522      67.74 
13    -13.615      0.15           
14    -80.907      0.80      1.78800      47.37 
15      5.099      5.50      1.59522      67.74 
16     -7.912      0.80      1.80100      34.97 
17*   -15.956      d17          
18     ∞          2.78      1.51633      64.14 
19     ∞          3.40           
20     ∞          0.50           
21     ∞               
【００７３】
非球面データ
面番号
9  K=0   A=-1.81600E-04   B=1.61060E-06  C=-2.51568E-08  D=2.60516E-10
E=0
10  K=0   A= 2.93798E-04   B=2.42389E-06  C=-3.21214E-09  D=2.62232E-10
E=0
17  K=0   A=-1.19728E-05   B=-7.26582E-06 C=3.60375E-07   D=-1.22106E-08
E=0
各種データ
広角端     中間     望遠端
焦点距離     3.10      6.31      7.99 
Fno          1.26      1.60      1.80 
像高         3.0       3.0       3.0 
d7          14.04      1.44      0.50 
d8           9.20      2.88      0.50 
d17          0.50      4.87      7.21 
【００７４】
（数値データ３）
面データ
面番号     r         d          nd         νd
1      76.230      0.85      1.81600      46.62 
2       7.809      5.74           
3     -14.763      0.80      1.43875      94.95 
4      10.048      7.50      1.72047      34.71 
5*    411.189      d5          
6(絞り) ∞         d6          
7*     11.722      3.20      1.49700      81.55 
8*    -13.208      0.15           
9      28.840      2.70      1.49700      81.55 
10    -13.831      0.80      1.75700      47.82 
11     12.765      0.40           
12     14.395      3.50      1.59522      67.74 
13     -9.848      0.15           
14    212.958      0.80      1.61340      44.27 
15      4.755      4.50      1.59522      67.74 
16*    33.776      d16          
17     ∞          2.78      1.51633      64.14 
18     ∞          2.50           
19     ∞          0.50           
20     ∞               
【００７５】
非球面データ
面番号
5   K=0   A= 3.96735E-05  B=-8.34430E-08  C= 1.24422E-08  D=0
E=0
7   K=0   A=-2.34818E-04  B=-1.72668E-07  C= 1.76004E-08  D=1.58866E-09
E=0
8   K=0   A= 2.14493E-04  B= 2.01999E-06  C=-3.74240E-08  D=3.32619E-09
E=0
16  K=0   A= 2.41012E-04  B= 2.48282E-06  C= 6.17452E-08  D=-6.56441E-09
E=0
各種データ
広角端     中間     望遠端
焦点距離     3.10      4.98      7.99 
Fno          1.26      1.40      1.80 
像高         3.0       3.0       3.0 
d5          15.79      6.56      0.50 
d6           6.84      2.74      0.50 
d16          0.50      2.40      5.56 
【００７６】
（数値データ４）
面データ
面番号     r         d          nd         νd
1      25.087      0.85      1.81600      46.62 
2      10.350      3.32           
3      61.431      0.80      1.43875      94.95 
4       7.230      4.52           
5     -14.545      0.80      1.43875      94.95 
6      12.935      6.00      1.80100      34.97 
7     403.897      d7          
8(絞り)∞          d8          
9*      7.343      4.50      1.49700      81.55 
10*   -13.060      0.30           
11    161.361      0.80      1.75700      47.82 
12      7.638      0.60           
13      9.259      3.50      1.59522      67.74 
14    -10.043      0.31           
15    -12.877      0.80      1.61340      44.27 
16      5.281      4.50      1.59522      67.74 
17*   -19.943      d17          
18     ∞          2.78      1.51633      64.14 
19     ∞          3.40           
20     ∞          0.50           
21     ∞               
【００７７】
非球面データ
面番号
9   K=0  A=-3.10073E-04  B=-2.90664E-07  C=-3.26296E-09  D=-3.30170E-10
E=0
10  K=0  A= 4.99480E-04  B= 6.47974E-07  C= 1.03739E-08  D= 1.02358E-09
E=0
17  K=0  A= 4.37463E-05  B= 4.57821E-06  C=-1.26918E-07  D= 2.53399E-09
E=0
各種データ
広角端     中間     望遠端
焦点距離     3.10      4.98      7.99 
Fno          1.35      1.60      1.90 
像高         3.0       3.0       3.0 
d7          15.39      5.34      0.50 
d8           5.47      3.27      0.50 
d17          0.86      3.21      7.04 
【００７８】
（数値データ５）
面データ
面番号     r         d          nd         νd
1      18.488      0.85      1.83481      42.73 
2       8.950      4.40           
3    -120.129      0.80      1.43875      94.95 
4       7.342      4.00           
5     -15.684      0.80      1.43875      94.95 
6       9.559      3.30      1.61340      44.27 
7     -55.550      d7          
8(絞り) ∞         d8          
9*     10.473      3.70      1.59522      67.74 
10*   -15.594      0.15           
11    -28.453      0.80      1.64000      60.08 
12     13.162      4.00      1.59522      67.74 
13    -13.219      0.30           
14    -36.745      0.80      1.83400      37.16 
15      9.420      0.32           
16      9.691      3.00      1.59522      67.74 
17    -16.403      0.16           
18     37.265      3.30      1.59522      67.74 
19     -7.959      0.80      1.61340      44.27 
20*    35.632      d20          
21     ∞          2.78           
22     ∞          3.40      1.51633      64.14 
23     ∞          0.50           
24     ∞               
【００７９】
非球面データ
面番号
9   K=0   A=-1.35805E-04  B=4.98236E-07  C=-1.54009E-08  D=0     E=0
10  K=0   A= 2.88682E-04  B=0            C=0             D=0     E=0
20  K=0   A= 1.47907E-04  B=3.95693E-07  C=2.48465E-07   D=0     E=0
各種データ
広角端     中間     望遠端
焦点距離     2.85      7.22      9.81 
Fno          1.30      2.10      2.60 
像高         3.0       3.0       3.0 
d7          19.09      1.85      0.50 
d8           7.25      2.88      0.50 
d20          0.50      6.30      9.83 
【００８０】
（数値データ６）
面データ
面番号     r         d          nd         νd
1      23.706      0.85      1.81600      46.62 
2      11.427      3.82           
3    -218.973      0.80      1.43875      94.95 
4       7.030      4.59           
5     -14.332      0.80      1.43875      94.95 
6      13.175      6.00      1.80100      34.97 
7     504.532      d7          
8(絞り) ∞         d8          
9*      7.240      4.56      1.53775      74.70 
10*   -14.512      0.18           
11    376.468      0.80      1.75700      47.82 
12      4.981      4.20      1.59522      67.74 
13     -8.986      0.32           
14     -8.513      0.80      1.61340      44.27 
15      8.336      0.15           
16      8.338      4.50      1.59522      67.74 
17*   -13.716      d17          
18     ∞          2.78      1.51633      64.14 
19     ∞          3.40           
20     ∞          0.50           
21     ∞               
【００８１】
非球面データ
面番号
9  K=0   A=-2.30876E-04  B=-5.76941E-07  C= 2.89000E-08  D=-7.16582E-10
E=0
10 K=0   A= 4.69653E-04  B=-1.60004E-07  C= 7.91959E-08  D=-4.76940E-10
E=0
17 K=0   A= 5.13853E-05  B= 4.82930E-06  C=-1.75412E-07  D= 4.01775E-09
E=0
各種データ
広角端     中間     望遠端
焦点距離     3.10      4.98      7.99 
Fno          1.35      1.60      1.90 
像高         3.0       3.0       3.0 
d7          15.05      5.19      0.50 
d8           5.40      3.27      0.50 
d17          0.50      2.92      6.89 
【００８２】
（数値データ７）
面データ
面番号     r         d          nd         νd
1     322.085      0.85      1.81600      46.62 
2       8.066      5.61           
3     -12.777      0.80      1.43875      94.95 
4       9.692      7.00      1.72047      34.71 
5*    293.330      d5          
6(絞り)     ∞     d6          
7*      8.497      3.00      1.49700      81.55 
8*    -25.115      0.30           
9     -45.720      3.00      1.49700      81.55 
10     -8.636      0.80      1.75700      47.82 
11    -13.130      0.15           
12     21.441      0.80      1.75700      47.82 
13      6.865      0.52           
14      7.805      3.50      1.59522      67.74 
15    -11.124      0.30           
16     -9.727      0.80      1.61340      44.27 
17      6.344      4.50      1.59522      67.74 
18    -20.284      d18          
19     ∞          2.78      1.51633      64.14 
20     ∞          2.50           
21     ∞          0.50           
22     ∞               
【００８３】
非球面データ
面番号
5  K=0  A= 4.80522E-05  B= 1.14454E-07  C= 1.26956E-08   D=0
E=0
7  K=0  A=-1.59433E-04  B=-1.04267E-06  C= 1.62384E-08   D=-3.67473E-10
E=0
8  K=0  A= 2.21594E-04  B=0             C=0              D=0
E=0
各種データ
広角端     中間     望遠端
焦点距離     3.10      4.98      8.00 
Fno          1.26      1.40      1.80 
像高         3.0       3.0       3.0 
d5          16.87      6.24      0.50 
d6           4.91      2.74      0.50 
d18          0.50      2.81      6.59 
【００８４】
（数値データ８）
面データ
面番号     r         d          nd         νd
1       19.787      0.85      1.83481      42.73 
2        7.075      3.90           
3      101.316      0.80      1.49700      81.55 
4       11.085      2.73           
5      -16.593      0.80      1.43875      94.95 
6       11.665      5.50      1.72047      34.71 
7      -84.315      d7          
8(絞り)     ∞      d8          
9*      19.529      3.00      1.49700      81.55 
10     -19.282      0.29           
11      13.670      3.50      1.49700      81.55 
12     -15.993      0.15           
13     -85.322      0.80      1.75700      47.82 
14       8.086      0.50           
15       9.260      3.50      1.59522      67.74 
16     -10.361      0.15           
17     -15.147      1.00      1.61340      44.27 
18       4.8141616  4.70      1.59522      67.74 
19*    -59.23464    d19          
20     ∞           2.00      1.51633      64.14 
21     ∞           3.00           
22     ∞           0.5          
23     ∞               
【００８５】
非球面データ
面番号
9  K=0  A=-2.80960E-04  B=-3.66950E-06  C= 8.96363E-08  D=-2.69984E-09
E=0
19 K=0  A= 2.76278E-04  B= 2.92100E-06  C=-1.92687E-07  D= 2.24851E-09
E=0
各種データ
広角端     中間     望遠端
焦点距離     3.10      4.98      7.99 
Fno          1.40      1.60      2.00 
像高         3.0        3.0      3.0 
d7          15.17      5.61      0.50 
d8           6.39      3.27      0.50 
d19          0.78      3.06      6.81 
【００８６】
（数値データ９）
面データ
面番号     r         d          nd         νd
1      46.138      0.85      1.81600      46.62 
2       7.781      4.56           
3     -51.782      0.80      1.49700      81.55 
4      21.674      2.61           
5     -14.787      0.80      1.43875      94.95 
6      12.797      3.50      1.61340      44.27 
7     -24.117      d7           
8(絞り) ∞          d8          
9*     11.123      3.30      1.59522      67.74 
10*   -29.815      0.90           
11    -31.373      0.80      1.51633      64.14 
12     10.705      4.20      1.59522      67.74 
13    -16.309      0.15           
14     23.424      0.80      1.83400      37.16 
15      5.425      4.40      1.59522      67.74 
16     -7.147      0.80      1.61340      44.27 
17*   115.045      d17          
18     33.505      0.50      1.73400      51.47 
19      5.798      2.50      1.61272      58.72 
20    -89.669      0.50           
21     ∞          2.00      1.51633      64.14 
22     ∞          2.50           
23     ∞          0.50           
24     ∞               
【００８７】
非球面データ
面番号
9   K=0  A=-8.83781E-05   B=-5.35461E-07  C= 1.44171E-08   D=0
E=0
10  K=0  A= 1.45897E-04   B=-2.23625E-07  C= 2.28924E-08   D=0
E=0
17  K=0  A= 3.61815E-05   B= 2.10254E-06  C=-1.12172E-07   D=0
E=0
各種データ
広角端     中間     望遠端
焦点距離     2.85      5.29      9.82 
Fno          1.40      1.59      2.44 
像高         3.0       3.0       3.0 
d7          20.98      7.69      0.50 
d8           8.55      3.27      0.50 
d17          0.50      3.76      9.82 
【００８８】
【表１】
0006614790.tif 000003
【符号の説明】
【００８９】
L0  ズームレンズ    G1  第１レンズ群    G2  第２レンズ群    STOP  開口絞り
【図１】
0006614790.tif 000004
【図２】
0006614790.tif 000005
【図３】
0006614790.tif 000006
【図４】
0006614790.tif 000007
【図５】
0006614790.tif 000008
【図６】
0006614790.tif 000009
【図７】
0006614790.tif 000010
【図８】
0006614790.tif 000011
【図９】
0006614790.tif 000012
【図１０】
0006614790.tif 000013
【図１１】
0006614790.tif 000014
【図１２】
0006614790.tif 000015
【図１３】
0006614790.tif 000016
【図１４】
0006614790.tif 000017
【図１５】
0006614790.tif 000018
【図１６】
0006614790.tif 000019
【図１７】
0006614790.tif 000020
【図１８】
0006614790.tif 000021
【図１９】
0006614790.tif 000022